(57)【要約】      （修正有）【課題】コンクリート構築物の外装の補修部と非補修部の色調の色合わせ作業を、色見本を基準にして行う。【解決手段】補修部１０の異なる色調毎に対応する色見本K2,K3,Kn,Kn＋1群を設ける。次に補修部１０周囲の非補修部１２の色調を測定し、非補修部１２の色調の指標値等の情報１４を把握し、非補修部１２の色調の指標値等の情報１４と共通し、又は近似する指標値等の情報１４を色見本K2,K3,Kn,Kn＋1群から選択して補修部１０の着色剤を準備し、補修部１０の表層部に塗布する。【選択図】図２
2013124512.tif 000002
【特許請求の範囲】
【請求項１】
コンクリート構築物の外装を補修する方法において、
亀裂、ひび割れなどの凹部として発生した補修部から破損くず、残滓、埃などの異物を除去する工程、
該補修部内へモルタルセメントを充填し、乾燥する工程、  
該補修部の表層部の着色に備え、想定される該補修部の異なる色調毎に対応する色見本群を設ける工程、
該色見本群のそれぞれは該補修部の異なる色調毎に対応した色名、原料配合比、色調の指標値等の着色剤に関する情報を備えたものであり、
該補修部周囲の非補修部の色調を測定し、非補修部の色調の指標値等の情報を把握する工程、
該補修部の色調の該情報を特定するに際して、非補修部の色調の指標値等の情報と共通し、又は近似する指標値等の情報を該色見本群から選択把握し、把握した情報に基づいて着色剤を準備する工程、
準備した着色剤を補修部の表層部に塗布する工程、
塗布した着色剤上に透水性防水剤を塗布する工程からなることを特徴とするコンクリート構築物の外装を補修する方法。
【請求項２】
色見本がカラープレートであることを特徴とする請求項１記載のコンクリート構築物の外装を補修する方法。
【請求項３】
該色調を測定する手段が測色計であることを特徴とする請求項１又は２記載のコンクリート構築物の外装を補修する方法。
【発明の詳細な説明】
【技術分野】
【０００１】
この発明は、主として屋外施工のコンクリート構築物の補修方法に関する。
とりわけ、本発明は、コンクリート構築物のひび割れなどの補修部の色調を補修するに際して、補修部と非補修部の色調との較差を生じないようにする補修方法に関する。
【背景技術】
【０００２】
いわゆる現場打設コンクリートの打設面などが時間の経過とともに、亀裂、ひび割れなどにより、補修の必要が生じることは、広く知られている。
また、施工後まもない構築物についても亀裂、ひび割れなどの欠陥が発生することは、経験的に知られるとおりである。
【０００３】
主として強度や安全性の補強に関する補修部の補修は、表面処理工法、充填工法、注入工法、補強工法などの工法が確立され、一定の目的を達成していることは広く知られている。
一方、補修部について物理的強度などの補修に関して課題が少ないとしても、補修部の色調と非補修部との色調には、較差が残存することを回避できなかった。
その結果、補修部と非補修部の色調の較差の発生が美観上、甚だ不快感を奏することは知られるとおりである。
【０００４】
そこで、前記の課題を解消するため、当業界では、種々の研究、開発が行われている。
例えば、特開２００９ー１９４４１号公報（特許文献１）記載の発明は、コンクリートの補修方法に関するものであるが、補修部の周辺のコンクリートと色合わせや質感を調整しつつ作成された美装材を、補修部分の上からヘラ等を用いて適用することにより、補修部分及び補修部分の周囲のコンクリート表面を美装するようにしたものである。
【０００５】
他の背景技術、例えば、特開２０１０−１９０３６号公報（特許文献２）記載の発明は、コンクリートの補修方法に関するものであるが、補修材はコンクリートの組成に近い特性を持ち、顔料等と簡単に混ぜ合わせることで容易に色の調整が出来、浸透性コンクリートの保護材、塗料等を併用することで、駆体との結びつきも向上させるようにしたものである。
【先行技術文献】
【特許文献】
【０００６】
【特許文献１】特開２００９ー１９４４１号公報（明細書段落「００３３」参照）
【特許文献２】特開２０１０−１９０３６号公報（明細書段落「００１０」参照）
【発明の概要】
【発明が解決しようとする課題】
【０００７】
前記した背景技術らは、補修部の色調と非補修部の色調のいわゆる色合わせを行うことにより、補修部の美観上の課題を解消することが意図されているものの、着色剤の色合わせの手段は、熟練と経験により負うことが少なくなく、合理性に欠けた。
とりわけ、補修部の環境は、多岐多種に亘ることはいうまでもないから、その環境に手軽な手段により、補修部に違和感のない着色を行うようにすることが業界に要請された。
【課題を解決するための手段】
【０００８】
課題を解決するための第１の手段は、  
コンクリート構築物の外装を補修する方法において、
亀裂、ひび割れなどの凹部として発生した補修部から破損くず、残滓、埃などの異物を除去する工程、
該補修部内へモルタルセメントを充填し、乾燥する工程、  
該補修部の表層部の着色に備え、想定される該補修部の異なる色調毎に対応する色見本群を設ける工程、
該色見本群のそれぞれは該補修部の異なる色調毎に対応した色名原料配合比色調の指標値等の着色剤に関する情報を備えたものであり、
該補修部周囲の非補修部の色調を測定し、非補修部の色調の指標値等の情報を把握する工程、
該補修部の色調の該情報を特定するに際して、非補修部の色調の指標値等の情報と共通し、又は近似する指標値等の情報を該色見本群から選択把握し、把握した情報に基づいて着色剤を準備する工程、
準備した着色剤を補修部の表層部に塗布する工程、
塗布した着色剤上に透水性防水剤を塗布する工程からなることを特徴とするコンクリート構築物の外装を補修する方法である。
【０００９】
課題を解決するための第２の手段は、
課題を解決するための第１の手段において、
色見本がカラープレートであることを特徴とするコンクリート構築物の外装を補修する方法である。
【００１０】
課題を解決するための第３の手段は、
課題を解決するための第１又は第２の手段において、
該色調を測定する手段が測色計であることを特徴とするコンクリート構築物の外装を補修する方法である。  
【発明の効果】
【００１１】
本発明は、上記の構成であるから、補修部の色調の指標値を特定するに際して、非補修部の色調の指標値と共通し、又は近似する指標値を該色見本群の情報から把握し、把握した情報に基づいて着色剤を準備し、着色剤を補修部に塗布することによりその施工を完了することができる。
さらに、いえば、色あわせの工程を従来のように熟練や経験に頼ることなく、色見本に基づいて補修作業を実施すればよいから、その作業を手軽にかつ、合理的に実施できる。
この発明では、非補修部の色調の指標値と共通し、又は近似する指標値を備えて色見本群を予め用意することにより、作業現場においてとりわけ、部分的な補修に寄与する。
【図面の簡単な説明】
【００１２】
【図１】図１は、補修部が発生したコンクリート構築物の外装の一部の正面図である。
【図２】図２は要部を略示した異なる色見本の正面図である。
【発明を実施するための形態】
【実施例】
【００１３】
以下にこの発明の実施例をコンクリート構築物の具体例として壁面に生じた亀裂、ひび割れ（以下「補修部」という）を例として説明する。
第１工程
補修部１０は、通常、大小の凹部を生じていることが少なくない。
凹部などの補修部１０内には芥、異物などの付着物が蓄積していることが少なくないから、ワイヤーブラシなど適宜の手段により補修部１０から異物など付着物を除去する。
加えて、補修部１０に残留する細かい付着物をブロワーにより二次的に吹き飛ばすことがよい。
補修部１０が大規模の場合では、高圧洗浄機など適宜な大規模の付着物の除去手段を採用することが希望される。
【００１４】
通常、この補修部１０は、異物など付着物を除去の有無に拘わらず、その色調や質感は、主として風雨や酸化の影響を受けて、補修部１０の周辺部と異なり、黒色や灰色の濃度が高く、視覚的、触覚的な感じの質感が異なり、その表面の肌合いが非補修部１２と比較して大きく異なる。  
【００１５】
第１工程が終了すると、第２工程として、補修部１０内に防水剤を塗布する。
防水剤は知られて種類でよく、たとえば、シラン系浸透性防水剤でよい。
防水剤の塗布により、補修部１０内には、防水層が形成され、降雨等の防水に寄与する。
【００１６】
第２工程の終了後、第３工程として、補修部１０内へモルタルセメントをコテ等適宜の手段により充填し、乾燥する。  
【００１７】
第３工程の終了後、第４工程として、非補修部１２の色調と共通する着色剤を補修部１０に塗布することにより、この発明の特徴といえる違和感のない補修部１０を形成する具体的工程について説明する。
【００１８】
補修部１０の表層部の着色に備え、想定される補修部１０の異なる色調毎に対応する色見本群K1,K,K3,Kn,Kn+1を設ける。
ここに、補修部１０の表層部とは、非補修部１２の外側面と平行する補修部１０の外側部をいう。
【００１９】
想定される補修部１０の異なる色調毎とは、補修部１０は、コンクリート構築物の性質上、とりわけ、屋外の構築物１０は天候など自然環境の影響を受けて損傷し、破損することは知られる通りである。
その損傷等の状況は、極めて千差万別に異なり、その色調も損傷等の状況に追従してことなる意味をいう。
因みに、異なる色調毎の具体例は、コンクリート構築物の性質上、通常の色調は、黒色、灰色など黒色を基準とする濃淡である範囲において特定するのに制約されとしてもその色調は濃淡の範囲内において論理的に一定の状況を仮に思い描くことを意味する。
もとより、黒色の濃淡に限られることなく、他の色彩たとえば、緑色の濃淡として露呈することも予期される。
【００２０】
色調の濃淡の範囲内において論理的に一定の状況を仮に思い描くには、たとえば、各種の色調は、知られるように、国際照明委員会（CIE）で規格された（日本「JIS/JIAZ8729」を参照）基準に基づき、黒色についていえば、黒色の場合では、「０」ないし白を示す「１００」までの数値として定量化できる。
この数値は、多少の誤差を容認するならば、人の視覚によっても可能であるものの、好ましくは、測色計を採用して数値を測定するとよい。
【００２１】
異なる色調毎に対応する色見本群K1,K,K3,Kn,Kn+1を設けるとは、前記したように、異なる色調は、特定できるから、その異なる色調たとえば、前記した黒色の濃淡についていえば、「０」ないし白を示す「１００」までの数値として定量化した色彩を表したプラスチック製ピースやプレートを用意する。
発明者は、「０」ないし白を示す「１００」を全て段階的に１００種類用意することなく、人の視覚能力を期待できることを加味して、一定基準のもと、中間部を省力し、濃淡を段階的に５０種を用意して実験をしたが、初期の目的を達成できた。  
【００２２】
色見本群K1,K,K3,Kn,Kn+1のそれぞれは補修部１０の異なる色調毎に対応した色名１４a,色調の指色調14b,原料配合比14c等の着色剤に関する情報14を備えたものであるとは、色見本には、固有の着色剤のための原料配合比、色調の指標値等が文字または図形、記号、符号により表示されて情報を備えていることである。
【００２３】
次に第４工程の終了後、第５工程として、補修部周囲の非補修部１２の色調を測定し、非補修部１２の色調の指標値等の情報１４を把握する。
この工程は、人の視覚能力によるが、前記した測色計を採用して非補修部１２の色調に関する情報を測定するとよい。
しかし、この発明では、前記した例えば５０種類の色見本群に基づいて、非補修部の色調と共通し、又は近似する色見本に関する情報１４を選択することにより、非補修部１２の色調を確認する。
【００２４】
次に第５工程の終了後、第６工程として、補修部１０の色調の指標値等を特定するに際して、前工程により、選択特定した色見本は、そっくり補修部１０の色調に対応し、その指標値等と共通し、又は近似する指標値等であるから、色見本の情報１４から把握した情報１４に基づいて着色剤を準備する。
この場合、色見本が備える情報に制約がある場合は、その情報を援助する記録などを別に付加的に準備することにより、一層、着色剤の準備が容易をできる。
【００２５】
次に準備した着色剤を補修部１０の表層部に塗布する。
着色剤の塗布手段として柔軟なスポンジを採用した。
スポンジの断面は、その表層部が波条の凹凸を備えたものがよく、着色剤を吸収したスポンジを補修部１０の表層部に向けて打ち叩くようにして着色剤を塗布することがよい。
着色剤の塗布量、塗布圧、塗布の頻度などを変化させることにより、一層、非補修部１２に近似した色相の着色を実施できる。  
【産業上の利用可能性】
【００２６】
この発明は、主として屋外構築物を対象として説明したが、一般家屋など屋内構築物についても利用できる。  
【符号の説明】
【００２７】
１０  補修部
１２  非補修部
１４  情報
１４ａ  色名
１４ｂ  原料配合比
１４ｃ  指標値
Ｋ１  色見本
Ｋ２  色見本
Ｋ３  色見本
Ｋｎ  色見本
Ｋｎ＋１  色見本
【図１】
2013124512.tif 000003
【図２】
2013124512.tif 000004